(57)【要約】【課題】着脱感触を明確にすることができ、中途半端なランプ取付状態になりにくく、かつ、アークが発生しにくく保持力を向上し、安全性に優れるランプソケットを提供する。【解決手段】回転中心からの距離が異なる複数のランプピン２〜５を有する片口金ランプを差し込み回転して装着させるランプソケットであって、複数のランプピン２〜５を挿入するランプピン挿入孔１７〜２０と、ランプピン挿入孔１７〜２０の内部に各ランプピン２〜５に対応して設けられた複数の導電体２１〜２４とを備えたランプソケットにおいて、複数の導電体２１〜２４は、ランプピン挿入孔１７〜２０にランプピン２〜５を挿入して片口金ランプを回転させたときにランプピン２〜５の各々が導電体２１〜２４とほぼ同時に接触するように配置されている。【選択図】        図１
2005209355.tif 000002
【特許請求の範囲】
【請求項１】
回転中心からの距離が異なる複数のランプピンを有する片口金ランプを差し込み回転して装着させるランプソケットであって、前記複数のランプピンを挿入するランプピン挿入孔と、前記ランプピン挿入孔の内部に各ランプピンに対応して設けられた複数の導電体とを備えたランプソケットにおいて、
前記複数の導電体は、前記ランプピン挿入孔に前記ランプピンを挿入して前記片口金ランプを回転させたときに前記ランプピンの各々が前記導電体とほぼ同時に接触するように配置されたことを特徴とするランプソケット。
【請求項２】
前記片口金ランプが回転中心に軸を有し、前記ランプピンは前記軸の一直径方向の両側にそれぞれ複数ずつ一直線上に並んだものであり、
前記ソケット本体は前記片口金ランプを装着させる装着面を有し、前記装着面に前記軸を嵌合する軸受凹部を有し、前記ランプピン挿入孔は前記軸受凹部を間にして両側に形成され、
前記複数の導電体はそれぞれ前記ランプピンと弾性接触するものであり、前記片口金ランプの回転により前記ランプピンが接触する前記導電体のランプピン接触開始位置が、略一直線上に配置された請求項１記載のランプソケット。
【請求項３】
外側に配置された前記導電体は、ランプ回転方向の接線方向の長さが、中心側に配置された導電体よりも長い請求項２記載のランプソケット。
【請求項４】
前記導電体は前記ランプピンを挟持するように相対向する一対の導電ばね片で形成され、前記一対の導電ばね片間の中心をとおり前記導電ばね片に平行なランプ回転方向の中心線を導電ばね中心線とするとき、外側の前記導電体と中心側の前記導電体の前記導電ばね中心線が互いに平行でない請求項２または請求項３記載のランプソケット。
【請求項５】
中心側の前記導電体の前記導電ばね中心線はランプ回転方向と略平行であって、外側の導電体の前記導電ばね中心線は前記導電体内部よりランプピン挿入側を見て内向きとなっている請求項４記載のランプソケット。
【請求項６】
外側の前記導電体の導電ばね中心線の方向は、前記導電板のランプピン装着位置の接線の方向と、ランプピン接触開始位置の接線の方向との間にある請求項４または請求項５記載のランプソケット。
【発明の詳細な説明】
【技術分野】
【０００１】
この発明は、例えばランプ回転取付方式の片口金蛍光灯ソケット等に適用するランプソケットに関するものである。
【背景技術】
【０００２】
従来のこの種の片口金ランプにおいて口金部に４本のランプピンを設けたものがあった（特許文献１参照）。４本のランプソケットは、口金部の回転中心を通る一直線上に並びかつ回転中心の両側に２本ずつ振り分けられている。一方この蛍光灯を装着するランプソケットは、図１０に示すように、回転中心部１００に対して両側にそれぞれランプピンを挿入する円弧状のランプピン挿入孔１０１を形成し、その内部にランプピンが接触する導電体１０２、１０４を配置している。これらの導電体１０２は回転中心部１００を含む一直線１０３上に配置されている。このとき、１０５は外側導電体１０２にランプピンが接触する位置と回転中心部１００を結ぶ線、１０６は中心側導電体１０４にランプピンが接触する位置と回転中心部１００を結ぶ線を示し、両者は一致していない。なお、１０７は片口金ランプ#の取付突起である。
【特許文献１】特開平９−６３７２８号公報
【発明の開示】
【発明が解決しようとする課題】
【０００３】
導電体１０２、１０４が一直線上に配置され、線１０５、１０６が相互に一致せずに片口金ランプの装着時の回転方向にずれているため、片口金ランプを回してランプピンを導電体１０２、１０４に接触し、または導電体１０２、１０４から外すときに外側導電体１０２に接触する２本のランプピンが後入れまたは先外れとなるので、ランプ着脱感触が不明確となり中途半端なランプ取付状態になりやすい。また外側端導電体１０２の２本のランプピンが先に外れることにより、４本のうち２本が必ず不完全接触状態になってしまい、場合によってはランプ発熱等の可能性があった。特に近年、高ワットの例えばHf片口金蛍光ランプ等ではこの傾向が強く安全性確保が課題であった。
【０００４】
そのような対策のために、断線検知機能が付加されているインバータと組合わせて使用する場合もあるが、本ソケットとの組合わせでは、４箇所検知可能なうちの２箇所での検知となるため、不安全な状態を検出する可能性が低くなる欠点があった。
【０００５】
そこで、本発明は、４箇所の導電体にランプピンが同時に接触しまたは外れることにより、着脱感触を明確にすることができ、中途半端なランプ取付状態になりにくく、かつ、アークが発生しにくく保持力を向上でき、安全性に優れるランプソケットを提供することを目的とする。
【０００６】
またインバータの断線検知機能が付加されている全４箇所で不安全を検出できるように、ランプソケットの導電板の配置をランプを外すときに４箇所同時にランプピンが外れるようにすることで、仮に中途半端なランプ取付状態になったとしても、４箇所の検出機能を全て活用し、検出可能性を向上させることで不完全接続状態を回避することができるランプソケットを提供することを目的とする。
【課題を解決するための手段】
【０００７】
この発明のランプソケットは、回転中心からの距離が異なる複数のランプピンを有する片口金ランプを差し込み回転して装着させるランプソケットであって、前記複数のランプピンを挿入するランプピン挿入孔と、前記ランプピン挿入孔の内部に各ランプピンに対応して設けられた複数の導電体とを備えたランプソケットにおいて、
前記複数の導電体は、前記ランプピン挿入孔に前記ランプピンを挿入して前記片口金ランプを回転させたときに前記ランプピンの各々が前記導電体とほぼ同時に接触するように配置されたことを特徴とするものである。
【０００８】
上記構成において、前記片口金ランプが回転中心に軸を有し、前記ランプピンは前記軸の一直径方向の両側にそれぞれ複数ずつ一直線上に並んだものであり、
前記ソケット本体は前記片口金ランプを装着させる装着面を有し、前記装着面に前記軸を嵌合する軸受凹部を有し、前記ランプピン挿入孔は前記軸受凹部を間にして両側に形成され、
前記複数の導電体はそれぞれ前記ランプピンと弾性接触するものであり、前記片口金ランプの回転により前記ランプピンが接触する前記導電体のランプピン接触開始位置が、略一直線上に配置されたものである。
【０００９】
上記構成において、外側に配置された前記導電体は、ランプ回転方向の接線方向の長さが、中心側に配置された導電体よりも長い。
【００１０】
上記構成において、前記導電体は前記ランプピンを挟持するように相対向する一対の導電ばね片で形成され、前記一対の導電ばね片間の中心をとおり前記導電ばね片に平行なランプ回転方向の中心線を導電ばね中心線とするとき、外側の前記導電体と中心側の前記導電体の前記導電ばね中心線が互いに平行になっていない。
【００１１】
上記構成において、中心側の前記導電体の前記導電ばね中心線はランプ回転方向と略平行であって、外側の導電体の前記導電ばね中心線は前記導電体内部よりランプピン挿入側を見て内向きとなっている。
【００１２】
上記構成において、外側の前記導電体の導電ばね中心線の方向は、前記導電板のランプピン装着位置の接線の方向と、ランプピン接触開始位置の接線の方向との間にある。
【発明の効果】
【００１３】
この発明のランプソケットによれば、４箇所の導電体にランプピンが同時に接触し、外れるので、着脱感触を明確にすることができ、中途半端なランプ取付状態になりにくく、しかもアークが発生しにくく保持力が向上し、安全性に優れる。
【００１４】
またランプソケットの導電体の配置をランプを外すときに全部例えば４箇所同時にランプピンが外れるようにすることで、仮に中途半端なランプ取付状態になったとしても、断線検知機能が付加されているインバータと組み合わせて使用する場合、4箇所検出機能を全て活用し検出可能性を向上させることで不完全接続状態を回避することができる。
【００１５】
ソケット中心から遠い外側の導電体の長さを大きくし接触荷重を大きくしたので、ランプ外しトルクを大きくすることができ、ランプ外れの危険性が少なく安全である。
【００１６】
外側導電体と中心側導電体のそれぞれの導電ばね中心線が、平行でないようにしたので、ランプの外し方向の摩擦力が平行でなく、ランプがさらに外れにくくなり、接触信頼性が向上する。
【００１７】
中心側導電体の中心線はランプ回転方向と略平行であり、外側導電体の中心線がランプピン挿入側に見て内向きとしているので、ランプ挿入時に外側の導電体の挿入角度が抵抗の少ない向きとなるのでランプ装着性に優れ、ランプの中途半端な取付状態になりにくい。
【００１８】
また外側の導電体を上記のように調整することにより、中心側の導電体を調整するよりも小さな接触力で大きなトルクを得ることができる。
【発明を実施するための最良の形態】
【００１９】
この発明の一実施の形態を図１から図９により説明する。すなわち、このランプソケットは、片口金ランプ１を差し込み回転して装着させるランプソケットである。
【００２０】
片口金ランプ１は回転中心からの距離が異なる複数のランプピン２〜５を有する。実施の形態では図４に示すように口金部６より複数本すなわち８本のランプ管７がリング状に立設され、口金部６のランプ管７と反対側となる基準面２７の中央に回転中心となる軸８を突出し、ランプピン２〜５は図１に示すように軸８の一直径方向の両側にそれぞれ複数ずつ一直線５０上に並んでいる。１０は軸８に設けたランプワット識別用溝、１１は例えば弾性突起を用いたランプ側装着感触発生部、１２は断面コ字形のランプ保持用引掛部である。
【００２１】
ランプソケットは、複数のランプピン２〜５を挿入するランプピン挿入孔１７〜２０と、ランプピン挿入孔１７〜２０の内部に各ランプピン２〜５に対応して設けられた複数の導電体２１〜２４とを備える。実施の形態では、ソケット本体１３が片口金ランプ１を装着させる装着面１４を前端面に有する筒形例えば円筒形である。装着面１４の中央に軸８を嵌合する軸受凹部１６を有し、複数のランプピン挿入孔１７〜２０は軸受凹部１６を間にし、かつランプピン２〜５の回転軌跡に合わせて、軸受凹部１６を中心とする略円弧形にそれぞれ形成され、軸受凹部１６から径方向外方に隣り合って配置されている。ソケット本体１３の内部には導電体用位置決め収納部（図示せず）やカバー用爪受け部（図示せず）を設け、ソケット本体１３の外周にランプ保持用引掛部１２に対応するＴ字形のランプ保持突起２８を突設し、さらにランプ側装着感触発生部１１に対応して装着面１４の軸受凹部１６の両側のランプピン挿入孔１７〜２０の並び方向と直交する方向に例えば山形の頂部に溝を有するランプ装着感触発生部２９を設けている。４６はランプワット識別用突起であり、ランプワット識別用溝１０に嵌合する。５１は取付孔である。
【００２２】
またソケット本体１３の下端開口部をカバー１５で被覆している。カバー１５は取付爪２５を有するとともに電線挿入孔２６を有する。カバー１５をソケット本体１３の開口に挿入し取付爪２５をカバー爪受け部に係止することにより取付けられる。
【００２３】
片口金ランプ１をランプソケットに取付ける手順を図４から図６に示す。すなわち、図４はランプソケットのソケット本体１３に片口金ランプ１を近づけた状態、図５は軸８を軸受凹部１６に嵌合した状態でこのとき口金部６の基準面２７とランプソケットのランプ装着面１４が当接する。図６は軸受凹部１６を中心に片口金ランプ１を回転した状態で、このときランプ保持用引掛部１２がＴ字形のランプ保持突起２８に嵌合し、回転停止する。そしてランプ側装着感触発生部１１の突起がランプ装着感触発生部２９の溝に嵌合し装着感触が得られるとともに片口金ランプ１の回転方向が保持される。なお、ソケット本体とランプのワット数が合っていないときは軸８のランプワット識別用溝１０にランプワット識別用嵌合突起４６が嵌合しないため、軸８を軸受凹部１６に嵌合することができない。
【００２４】
一方、図５の嵌合状態でランプピン２〜５がランプピン挿入孔１７〜２０に挿入されて、導電体２１〜２４に対向し、図６の状態でランプピン２〜５が導電体２１〜２４に接触する。
【００２５】
ここで、複数の導電体２１〜２４は、ランプピン挿入孔１７〜２０にランプピン２〜５を挿入して片口金ランプ１を軸８を中心として回転させたときに回転半径が異なるランプピン２〜５の各々が対応する導電体２１〜２４とほぼ同時に接触するように配置されている。この場合、ランプピン２〜５とそれぞれ弾性接触する複数の導電体２１〜２４は、片口金ランプ１の回転によりランプピン２〜５が接触するランプピン接触開始位置が、略一直線５０上に配置されている。また外側に配置された導電体２１、２４は、ランプ回転方向の接線方向の長さが、中心側導電体２２、２３よりも長くなっている。
【００２６】
実施の形態では、導電体２１〜２４はランプピン２〜５を挟持するように対向する一対の導電ばね片３０、３１で形成され、図７に示すように一対の導電ばね片３０、３１間の中心をとおり導電ばね片３０、３１に平行なランプ回転方向の中心線を導電ばね中心線３２、３３とするとき、複数の導電体２１〜２４のうち外側の導電体２１、２４と中心側の導電体２２、２３のそれぞれの導電ばね中心線３２、３３が平行になっていない。しかも
中心側の導電体２２、２３板の導電ばね中心線３２はランプ回転方向と略平行であり、外側の導電体２２、２３の導電ばね中心線３３は導電ばね片３０、３１間よりランプピン挿入側を見て内向きとなっている。そして図６に示すように外側の導電体２１、２４の導電ばね中心線３３の方向は、導電体２１、２４のランプピン回動方向に対するランプピン装着位置の接線３４の方向と、ランプピン接触開始位置の接線３５の方向との間にある。すなわち、中心線３３の方向は、接線３４よりも内向きであって接線３５よりも外向きである角度をなしている。
【００２７】
図８は外側導電体２１、２４の具体例であり、展開状態で略Ｔ字形の導電板の第１の端部を折り返して相対向する一対の導電ばね片３０、３１を形成し、第２の端部を折り返して速結端子３６を形成するとともに折曲部に電線挿通部（図示せず）を形成し、第３の端部をソケット本体１３内の位置決め収納部に位置決めする位置決め取付片３７としている。
【００２８】
図９は中心側導電体２２、２３の具体例であり、展開状態で略Ｔ字形の導電板の第１の端部を２段に折り返して先端片と中間片とにより相対向する一対の導電ばね片４３、４４を形成し、第２の端部の中央に切欠を形成しその両側をそれぞれ折り返して一対の速結端子３８、３９を形成するとともに折曲部に電線挿通部（図示せず）を形成し、速結端子３８、３９の一方を送り用としている。また第３の端部の中央に切欠を形成し、その両側をソケット本体１３内の位置決め収納部に位置決めする一対の位置決め取付片４０、４１としている。これらの導電体２１〜２４をカバー１５を取付ける前にソケット本体１３内の位置決め収納部に装着し、カバー１５を閉じることにより各電線挿入孔２６に速結端子３６、３８、３９の電線挿通部が対向する。導電ばね片３０、３１の幅ｘと導電ばね片４３、４４の幅ｙは、ｘ＞ｙの関係になっている。
【００２９】
ランプピン２〜５と導電体２１〜２４との関係について図１および図７により説明する。片口金ランプ１を図５の状態に差し込むと、ランプピン２〜５がランプピン挿入孔１７〜２０に挿入され、つぎに片口金ランプ１をランプソケットに対して回転すると図１の状態にランプピン２〜５が導電体２１〜２４に同時に接触開始し、それぞれ一対の導電ばね片３０、３１間に挾み込まれて接触状態となる。図７ではランプピン４、５が装着状態を示し、ランプピン２、３が接触開始状態を示している。ランプピン４、５を装着状態から外すときは線３２、３３が平行でないため摩擦力の方向が中心側導電体２２、２３と外側導電体２１、２４で異なるので外れにくい。一方ランプピン２〜５に対して外側導電体２１、２４が内側に向いているので挿入性が良好である。
【００３０】
なお、軸８をソケット側に設け軸受凹部１６を片口金ランプ１側に設けてもよい。ランプワット識別用溝１０を軸受凹部１６に設け、ランプワット識別用突起４６を軸８に設けてもよい。また外側導電体２１、２４のばね中心線３３は内側からランプピン挿入側を見て内向きではなく外向きでもよい。また片口金ランプ１をランプソケットに差し込み回転させて保持する取付手段は上記以外の他の構成を用いることができる。
【００３１】
導電体２１〜２４は一対の導電ばね片で構成したが、単一の導電ばね片をランプピン２〜５の側面のランプ回転中心側または外側に接触するように配置し、さらに上記実施の形態と同様に配置してもよく、あるいはランプピン２〜５の端面に接触するようにしてもよい。
【図面の簡単な説明】
【００３２】
【図１】この発明の一実施の形態のランプソケットの平面図である。
【図２】ランプソケットの分解斜視図である。
【図３】ランプソケットに片口金ランプを装着する前のランプ側から見た斜視図である。
【図４】ランプソケットに片口金ランプを装着する前のソケット側から見た斜視図である。
【図５】ランプソケットに片口金ランプを挿入した状態の回転前の斜視図である。
【図６】ランプソケットに片口金ランプを装着した状態の斜視図である。
【図７】ランプピンと導電体の接触状態と挿入前の状態の平面図である。
【図８】（ａ）は外側の導電体の正面図、（ｂ）は斜視図である。
【図９】（ａ）は中心側の導電体の正面図、（ｂ）は斜視図である。
【図１０】従来例を示し、（ａ）は平面図、（ｂ）はその正面図である。
【符号の説明】
【００３３】
１    片口金ランプ
２〜５  ランプピン
８    軸
１４    ランプ装着面
１６    軸受凹部
１７〜２０  ランプピン挿入孔
２１〜２４  導電体
３２、３３  導電ばね中心線
３４、３５  接線
【図１】
2005209355.tif 000003
【図２】
2005209355.tif 000004
【図３】
2005209355.tif 000005
【図４】
2005209355.tif 000006
【図５】
2005209355.tif 000007
【図６】
2005209355.tif 000008
【図７】
2005209355.tif 000009
【図８】
2005209355.tif 000010
【図９】
2005209355.tif 000011
【図１０】
2005209355.tif 000012
【手続補正書】
【提出日】平成16年9月8日(2004.9.8)
【手続補正１】
【補正対象書類名】特許請求の範囲
【補正対象項目名】請求項２
【補正方法】変更
【補正の内容】
【請求項２】
前記片口金ランプが回転中心に軸を有し、前記ランプピンは前記軸の一直径方向の両側にそれぞれ複数ずつ一直線上に並んだものであり、
ソケット本体は前記片口金ランプを装着させる装着面を有し、前記装着面に前記軸を嵌合する軸受凹部を有し、前記ランプピン挿入孔は前記軸受凹部を間にして両側に形成され、
前記複数の導電体はそれぞれ前記ランプピンと弾性接触するものであり、前記片口金ランプの回転により前記ランプピンが接触する前記導電体のランプピン接触開始位置が、略一直線上に配置された請求項１記載のランプソケット。
【手続補正２】
【補正対象書類名】明細書
【補正対象項目名】０００２
【補正方法】変更
【補正の内容】
【０００２】
従来のこの種の片口金ランプにおいて口金部に４本のランプピンを設けたものがあった（特許文献１参照）。４本のランプピンは、口金部の回転中心を通る一直線上に並びかつ回転中心の両側に２本ずつ振り分けられている。一方この蛍光灯を装着するランプソケットは、図１０に示すように、回転中心部１００に対して両側にそれぞれランプピンを挿入する円弧状のランプピン挿入孔１０１を形成し、その内部にランプピンが接触する導電体１０２、１０４を配置している。これらの導電体１０２は回転中心部１００を含む一直線１０３上に配置されている。このとき、１０５は外側導電体１０２にランプピンが接触する位置と回転中心部１００を結ぶ線、１０６は中心側導電体１０４にランプピンが接触する位置と回転中心部１００を結ぶ線を示し、両者は一致していない。なお、１０７は片口金ランプの取付突起である。
【特許文献１】特開平９−６３７２８号公報
【手続補正３】
【補正対象書類名】明細書
【補正対象項目名】０００８
【補正方法】変更
【補正の内容】
【０００８】
上記構成において、前記片口金ランプが回転中心に軸を有し、前記ランプピンは前記軸の一直径方向の両側にそれぞれ複数ずつ一直線上に並んだものであり、
ソケット本体は前記片口金ランプを装着させる装着面を有し、前記装着面に前記軸を嵌合する軸受凹部を有し、前記ランプピン挿入孔は前記軸受凹部を間にして両側に形成され、
前記複数の導電体はそれぞれ前記ランプピンと弾性接触するものであり、前記片口金ランプの回転により前記ランプピンが接触する前記導電体のランプピン接触開始位置が、略一直線上に配置されたものである。
【手続補正４】
【補正対象書類名】明細書
【補正対象項目名】００２６
【補正方法】変更
【補正の内容】
【００２６】
実施の形態では、外側の導電体２１、２４はランプピン２、５を挟持するように対向する一対の導電ばね片３０、３１で形成され、中心側の導電体２２、２３はランプピン３、４を挟持するように対向する一対の導電ばね４３、４４で形成され、図７に示すように一対の導電ばね片３０、３１間の中心をとおり導電ばね片３０、３１に平行なランプ回転方向の中心線を導電ばね中心線３３とし、一対の導電ばね片４３、４４間の中心をとおり導電ばね片４３、４４に平行なランプ回転方向の中心線を導電ばね中心線３２とするとき、複数の導電体２１〜２４のうち外側の導電体２１、２４と中心側の導電体２２、２３のそれぞれの導電ばね中心線３２、３３が平行になっていない。しかも中心側の導電体２２、２３の導電ばね中心線３２はランプ回転方向と略平行であり、外側の導電体２１、２４の導電ばね中心線３３は導電ばね片３０、３１間よりランプピン挿入側を見て内向きとなっている。そして図１に示すように外側の導電体２１、２４の導電ばね中心線３３の方向は、導電体２１、２４のランプピン回動方向に対するランプピン装着位置の接線３４の方向と、ランプピン接触開始位置の接線３５の方向との間にある。すなわち、中心線３３の方向は、接線３４よりも内向きであって接線３５よりも外向きである角度をなしている。
【手続補正５】
【補正対象書類名】明細書
【補正対象項目名】００２９
【補正方法】変更
【補正の内容】
【００２９】
ランプピン２〜５と導電体２１〜２４との関係について図１および図７により説明する。片口金ランプ１を図５の状態に差し込むと、ランプピン２〜５がランプピン挿入孔１７〜２０に挿入され、つぎに片口金ランプ１をランプソケットに対して回転すると図１の状態にランプピン２〜５が導電体２１〜２４に同時に接触開始し、それぞれ一対の導電ばね片３０、３１間および一対の導電ばね片４３、４４間に挾み込まれて接触状態となる。図７ではランプピン４、５が装着状態を示し、ランプピン２、３が接触開始状態を示している。ランプピン４、５を装着状態から外すときは線３２、３３が平行でないため摩擦力の方向が中心側導電体２２、２３と外側導電体２１、２４で異なるので外れにくい。一方ランプピン２〜５に対して外側導電体２１、２４が内側に向いているので挿入性が良好である。
【手続補正６】
【補正対象書類名】明細書
【補正対象項目名】００３３
【補正方法】変更
【補正の内容】
【００３３】
１    片口金ランプ
２〜５  ランプピン
８    軸
１３    ソケット本体
１４    ランプ装着面
１６    軸受凹部
１７〜２０  ランプピン挿入孔
２１〜２４  導電体
３０、３１、４３、４４  導電ばね片
３２、３３  導電ばね中心線
３４、３５  接線
【手続補正７】
【補正対象書類名】図面
【補正対象項目名】図７
【補正方法】変更
【補正の内容】
【図７】
2005209355.tif 000013